(57)【特許請求の範囲】
【請求項１】
磁性体と、前記磁性体内に設けた第１のインピーダンス素子、第２のインピーダンス素子及び第３のインピーダンス素子と、前記磁性体の外部に設けるとともに前記第１、第２及び第３のインピーダンス素子のいずれかと電気的に接続する外部電極とからなり、
前記第１のインピーダンス素子は渦巻き状の第１のコモンインピーダンス素子部及び前記第１のコモンインピーダンス素子部を設けた平面と異なる平面に設けるとともに前記第１のコモンインピーダンス素子部と電気的に接続する第１の内電電極素子部とからなり、
前記第２のインピーダンス素子は前記第１のコモンインピーダンス素子部と同一平面に２重渦巻き状に設けた第２のコモンインピーダンス素子部及び前記第２のコモンインピーダンス素子部を設けた平面と異なる平面に設けるとともに前記第２のコモンインピーダンス素子部と電気的に接続する第２の内電電極素子部とからなり、
前記第３のインピーダンス素子は、前記第１及び第２のコモンインピーダンス素子部と互いに対向し、かつ前記第１のコモンインピーダンス素子部の少なくとも一部および第２のコモンインピーダンス素子部のうち少なくとも一部と前記磁性体の上方から平面視にて位置ずれしないように渦巻き状に設けた第３のコモンインピーダンス素子部及び前記第３のコモンインピーダンス素子部を設けた平面と異なる平面に設けるとともに前記第３のコモンインピーダンス素子部と電気的に接続する第３の内電電極素子部とからなるノイズフィルター。
【請求項２】
磁性体と、前記磁性体内に設けた３以上の上部インピーダンス素子及び前記３以上の上部インピーダンスの下方に設けた下部インピーダンス素子と、前記磁性体の外部に設けるとともに前記上部インピーダンス素子又は前記下部インピーダンス素子のいずれかと電気的に接続する外部電極とからなり、
前記３以上の上部インピーダンス素子は同一平面上に多重渦巻き状に設けた上部コモンインピーダンス素子部及び前記上部コモンインピーダンス素子部を設けた平面と異なる平面に設けるとともに前記上部コモンインピーダンス素子部と一対一に対応して電気的に接続する上部内電電極部とからなり、
前記下部インピーダンス素子は前記上部コモンインピーダンス素子部と互いに対向し、かつ前記上部コモンインピーダンス素子部と前記磁性体の上方から平面視にて位置ずれしないように渦巻き状に設けた下部コモンインピーダンス素子部及び前記下部コモンインピーダンス素子部を設けた平面と異なる平面に設けるとともに前記下部コモンインピーダンス素子部と電気的に接続する下部内電電極素子部とからなるノイズフィルター。
【発明の詳細な説明】
【０００１】
【発明の属する技術分野】
本発明は、携帯電話、音声信号向け機器等のノイズ対策として使用されるノイズフィルターに関するものである。
【０００２】
【従来の技術】
従来のノイズフィルターは、特開平１１−１８６０５６号公報に開示されたものが知られている。本従来の技術ではノイズフィルターの一例として、積層コモンモードチョークコイルを例にして説明する。
【０００３】
図５は従来のノイズフィルターとしての積層コモンモードチョークコイルを示したものである。
【０００４】
図５において、磁性体内に形成されたコモンモードチョークは積層することによって形成されたコイルで、コイル導体１４〜２５をそれぞれ表面に設けた絶縁性シート２６と、絶縁性シート２６を積み重ねた最上側及び最下側に位置されたカバーシート２７等にて構成されている。コイル導体１４〜１７は、絶縁性シート２６にそれぞれ設けたバイアホール２６ａ〜２６ｃを介して電気的に直列に接続され、絶縁性シート２６の積み重ねる上下方向に対して、平行な軸を有する第１の螺旋状コイル１１を形成する。次に、コイル導体１８〜２１は、絶縁性シート２６にそれぞれ設けたバイアホール２６ｄ〜２６ｆを介して電気的に直列に接続され、絶縁性シート２６の積み重ねる上下方向に対して平行な軸を有する第２の螺旋状コイル１２を形成する。コイル導体２２〜２５は、絶縁性シート２６にそれぞれ設けたバイアホール２６ｇ〜２６ｉを介して電気的に直列に接続され、絶縁性シート２６の積み重ねる上下方向に対して平行な軸を有する第３の螺旋状コイル１３とされる。
【０００５】
各絶縁性シート２６は積み重ねられた後、図６に示すような積層体２８が形成される。積層体２８には、それぞれ３つの第１、第２、第３の螺旋状コイル１１、１２、１３の入力電極２９ａ、２９ｂ、２９ｃと出力電極３０ａ、３０ｂ、３０ｃが設けられている。
【０００６】
第１の螺旋状コイル１１は入力電極２９ａ及び出力電極３０ａに電気的に接続され、第２の螺旋状コイル１２は入力電極２９ｂ及び出力電極３０ｂに電気的に接続され、第３の螺旋状コイル１３は入力電極２９ｃ及び出力電極３０ｃに電気的に接続されている。
【０００７】
【発明が解決しようとする課題】
しかしながら、上記した従来のノイズフィルターは、コモンモードのインピーダンス値をさらに高くすることができないという課題を有していた。
【０００８】
すなわち、コモンモードのインピーダンス値をさらに高くするためには第１の螺旋状コイル１１と第２の螺旋状コイル１２との結合係数、及び第３の螺旋状コイル１３と第２の螺旋状コイル１２との結合係数、さらに第１の螺旋状コイル１１と第３の螺旋状コイル１３との結合係数を高くしなければならないのだが、コイルの構造が螺旋状になっているため第１の螺旋状コイル１１と第２の螺旋状コイル１２との結合係数、及び第３の螺旋状コイル１３と第２の螺旋状コイル１２との結合係数を高めるには限界があり、第１の螺旋状コイル１１と第３の螺旋状コイル１３との結合がほとんどないという課題である。
【０００９】
本発明は上記従来の課題を解決するもので、コモンモードのインピーダンス値を高くでき、コモンモードのノイズの除去特性が高いノイズフィルターを提供することを目的とするものである。
【００１０】
【課題を解決するための手段】
上記目的を達成するために本発明は、以下の構成を有するものである。
【００１１】
本発明の請求項１に記載の発明は、磁性体と、前記磁性体内に設けた第１のインピーダンス素子、第２のインピーダンス素子及び第３のインピーダンス素子と、前記磁性体の外部に設けるとともに前記第１、第２及び第３のインピーダンス素子のいずれかと電気的に接続する外部電極とからなり、前記第１のインピーダンス素子は渦巻き状の第１のコモンインピーダンス素子部及び前記第１のコモンインピーダンス素子部を設けた平面と異なる平面に設けるとともに前記第１のコモンインピーダンス素子部と電気的に接続する第１の内電電極素子部とからなり、前記第２のインピーダンス素子は前記第１のコモンインピーダンス素子部と同一平面に２重渦巻き状に設けた第２のコモンインピーダンス素子部及び前記第２のコモンインピーダンス素子部を設けた平面と異なる平面に設けるとともに前記第２のコモンインピーダンス素子部と電気的に接続する第２の内電電極素子部とからなり、前記第３のインピーダンス素子は、前記第１及び第２のコモンインピーダンス素子部と互いに対向し、かつ前記第１のコモンインピーダンス素子部の少なくとも一部および第２のコモンインピーダンス素子部のうち少なくとも一部と前記磁性体の上方から平面視にて位置ずれしないように渦巻き状に設けた第３のコモンインピーダンス素子部及び前記第３のコモンインピーダンス素子部を設けた平面と異なる平面に設けるとともに前記第３のコモンインピーダンス素子部と電気的に接続する第３の内電電極素子部とからなるもので、この構成によれば、第１のコモンインピーダンス素子部と第３のコモンインピーダンス素子部との結合係数、及び第２のコモンインピーダンス素子部と第３のコモンインピーダンス素子部との結合係数が高くなり、かつ、第１のコモンインピーダンス素子部と第２のコモンインピーダンス素子部の結合係数が高くなり、各コモンモードのインピーダンスを高くできるという作用を有する。
【００１２】
また、請求項２に記載の発明は、磁性体と、前記磁性体内に設けた３以上の上部インピーダンス素子及び前記３以上の上部インピーダンスの下方に設けた下部インピーダンス素子と、前記磁性体の外部に設けるとともに前記上部インピーダンス素子又は前記下部インピーダンス素子のいずれかと電気的に接続する外部電極とからなり、前記３以上の上部インピーダンス素子は同一平面上に多重渦巻き状に設けた上部コモンインピーダンス素子部及び前記上部コモンインピーダンス素子部を設けた平面と異なる平面に設けるとともに前記上部コモンインピーダンス素子部と一対一に対応して電気的に接続する上部内電電極部とからなり、前記下部インピーダンス素子部は前記上部コモンインピーダンス素子部と互いに対向し、かつ前記上部コモンインピーダンス素子部と前記磁性体の上方から平面視にて位置ずれしないように渦巻き状に設けた下部コモンインピーダンス素子部及び前記下部コモンインピーダンス素子部を設けた平面と異なる平面に設けるとともに前記下部コモンインピーダンス素子部と電気的に接続する下部内電電極素子部とからなるもので、この構成によれば、少なくとも３つ以上の上部コモンインピーダンス素子部と下部コモンインピーダンス素子部との各々の結合係数が高くなり、かつ、上部コモンインピーダンス素子部どうしの結合係数が高くなり、各コモンモードのインピーダンスを高くできるという作用を有する。
【００１３】
【発明の実施の形態】
（実施の形態１）
以下、本発明の実施の形態１におけるノイズフィルターについて、図面を参照しながら説明する。
【００１４】
図１は本発明の実施の形態１におけるノイズフィルターの分解斜視図、図２は同斜視図である。
【００１５】
図１、図２において、３１は第１のインピーダンス素子で、渦巻き状の第１のコモンインピーダンス素子部３６及び第１のコモンインピーダンス素子部３６の上方に形成された内電電極の第１の内電電極素子部３４からなる。第１のコモンインピーダンス素子部３６は第３の引き出し部３６ａと渦巻きの内部に位置する第３のバイア電極３６ｂとを、第１の内電電極素子部３４は第１の引き出し部３４ａと内側に位置する第１のバイア電極３４ｂとをそれぞれ有している。
【００１６】
３２は第２のインピーダンス素子で、渦巻き状の第２のコモンインピーダンス素子部３７及び第２のコモンインピーダンス素子部３７の上方に形成された内電電極の第２の内電電極素子部３５からなる。第２のコモンインピーダンス素子部３７は第４の引き出し部３７ａと渦巻きの内部に位置する第４のバイア電極３７ｂとを、第２の内電電極素子部３５は第２の引き出し部３５ａと内側に位置する第２のバイア電極３５ｂとをそれぞれ有している。また、第２のコモンインピーダンス素子部３７は、第１のコモンインピーダンス素子部３６と２重渦巻き状に形成されている。
【００１７】
３８は方形の第１の磁性体シートで、第１の内電電極素子部３４と第１のコモンインピーダンス素子部３６との間、および第２の内電電極素子部３５と第２のコモンインピーダンス素子部３７との間に形成され、第１のバイアホール３８ａと第２のバイアホール３８ｂを有している。また、第１のバイア電極３４ｂと第３のバイア電極３６ｂとが第１のバイアホール３８ａによって互いに接続され、これにより、第１の内電電極素子部３４と第１のコモンインピーダンス素子部３６とが接続されて、第１のインピーダンス素子３１が形成される。同様に、第２のバイア電極３５ｂと第４のバイア電極３７ｂとが第２のバイアホール３８ｂによって互いに接続され、これにより第２の内電電極素子部３５と第２のコモンインピーダンス素子部３７とが接続されて、第２のインピーダンス素子３２が形成される。
【００１８】
３３は第３のインピーダンス素子で、渦巻き状の第３のコモンインピーダンス素子部４０及び第３のコモンインピーダンス素子部４０の下方に形成された内電電極の第３の内電電極素子部４１からなる。第３のコモンインピーダンス素子部４０は第５の引き出し部４０ａと渦巻きの中心に位置する第５のバイア電極４０ｂとを、第３の内電電極素子部４１は第６の引き出し部４１ａと内側に位置する第６のバイア電極４１ｂとをそれぞれ有している。
【００１９】
４２は方形の第３の磁性体シートで、第３のコモンインピーダンス素子部４０と第３の内電電極素子部４１との間に形成され、第３のバイアホール４２ａを有している。また、第５のバイア電極４０ｂと第６のバイア電極４１ｂとが第３のバイアホール４２ａによって互いに接続され、これにより、第３のコモンインピーダンス素子部４０と第３の内電電極素子部４１とが接続されて、第３のインピーダンス素子３３が形成される。
【００２０】
このとき、第１、第２及び第３の内電電極素子部３４、３５、４１並びに第１、第２及び第３のコモンインピーダンス素子部３６、３７、４０は銀などの導電体からなり、その長さ、幅、厚みは所定の特性に合致するように調整すればよい。また、これらはそれぞれ、一平面上に形成されている。
【００２１】
また、同一平面に形成されている第１のコモンインピーダンス素子部３６と第２のコモンインピーダンス素子部３７の２つの導体と第３のコモンインピーダンス素子部４０とは、互いに対向し、かつその間は絶縁されている。さらに、同じ方向に引き出されている第１、第２、第５の引き出し部３４ａ、３５ａ、４０ａから第３、第４、第６の引き出し部３６ａ、３７ａ、４１ａへ電流を流したとき、第１の内電電極素子部３４または第２の内電電極素子部３５の上方から平面視にて第１のコモンインピーダンス素子部３６、第２のコモンインピーダンス素子部３７と第３のコモンインピーダンス素子部４０に同じ方向に電流が流れるように形成されている。
【００２２】
３９は方形の第２の磁性体シートで、第１のコモンインピーダンス素子部３６または第２のコモンインピーダンス素子部３７と第３のコモンインピーダンス素子部４０との間に形成されている。第２の磁性体シート３９によって第１のコモンインピーダンス素子部３６または第２のコモンインピーダンス素子部３７と第３のコモンインピーダンス素子部４０との間が絶縁される。
【００２３】
４３は方形の第４の磁性体シートで、第１の内電電極素子部３４及び第２の内電電極素子部３５の上面と、第３の内電電極素子部４１の下面にそれぞれ形成されている。
【００２４】
そして第１、第２、第３及び第４の磁性体シート３８、３９、４２、４３は、フェライト粉体の酸化物及び樹脂からなる混合物から構成され、また、上記したように上下方向に積層することによって方形で板状の磁性体４４が形成される。なお、磁性体４４は板状でなく、ある程度の厚みを有した略直方体形状でもよい。また、磁性体４４は必ずしも方形である必要はない。さらに、それぞれの厚みは、所定の特性（耐電圧など）によって適宜調整すればよく、厚みの調整は、磁性体シート自体の厚みを変えるか、形成される磁性体シートの枚数を変えることによって行うことができる。
【００２５】
４５ａ、４５ｂ、４５ｃ、４６ａ、４６ｂ、４６ｃは磁性体４４の両端面に形成された外部電極で、４５ａと４５ｂと４５ｃは磁性体４４の一端面に、４６ａと４６ｂと４６ｃは磁性体４４の他の端面に設けられている。また、外部電極４５ａ、４５ｂ、４５ｃ、４６ａ、４６ｂ、４６ｃは、銀などの導体の表面に、ニッケルめっき、すずやはんだなどの低融点金属めっきが施されている。
【００２６】
そして、第１のインピーダンス素子３１の第１の引き出し部３４ａが外部電極４５ａと、第３の引き出し部３６ａが外部電極４６ａとそれぞれ電気的に接続されている。同様に、第２のインピーダンス素子３２の第２の引き出し部３５ａが外部電極４５ｃと、第４の引き出し部３７ａが外部電極４６ｃとそれぞれ電気的に接続されている。さらに同様に、第３のインピーダンス素子３３の第５の引き出し部４０ａが外部電極４５ｂと、第６の引き出し部４１ａが外部電極４６ｂとそれぞれ電気的に接続されている。
【００２７】
以上のように構成されたノイズフィルターは、第１のコモンインピーダンス素子部３６、第２のコモンインピーダンス素子部３７、および第３のコモンインピーダンス素子部４０が渦巻き状に形成されたため、第１のコモンインピーダンス素子部３６または第２のコモンインピーダンス素子部３７と第３のコモンインピーダンス素子部４０との重複領域が増加される。これにより第１のコモンインピーダンス素子部３６、第２のコモンインピーダンス素子部３７と第３のコモンインピーダンス素子部４０とに同方向の電流が流れれば、第１のコモンインピーダンス素子部３６または第２のコモンインピーダンス素子部３７、第３のコモンインピーダンス素子部４０でそれぞれ発生する磁束を互いに強め合うことができるため、これらの結合係数を高め、コモンモードのインピーダンス値を高くできるという効果が得られる。加えて、第１のコモンインピーダンス素子部３６、第２のコモンインピーダンス素子部３７で発生する磁束をさらに強め合うことができるため、よりコモンモードのインピーダンス値を高くできるという効果が得られる。
【００２８】
なお、第１のコモンインピーダンス素子部３６、第２のコモンインピーダンス素子部３７、第３のコモンインピーダンス素子部４０の形状を渦巻き状にすることによって、導体の長さを長くできるため、第１のコモンインピーダンス素子部３６、第２のコモンインピーダンス素子部３７、第３のコモンインピーダンス素子部４０の複数領域がより増加されることができ、これにより第１のコモンインピーダンス素子部３６と第２のコモンインピーダンス素子部３７と第３のコモンインピーダンス素子部４０とに同方向の電流が流れれば、コモンモードのインピーダンス値をより高くできるという作用が得られる。
【００２９】
また、少なくとも第１のコモンインピーダンス素子部３６、第２のコモンインピーダンス素子部３７、第３のコモンインピーダンス素子部４０のいずれかひとつを電鋳法によって形成することにより、狭い導体幅、細かい導体線間ピッチが実現できるため、渦巻き状の第１のコモンインピーダンス素子部３６、第２のコモンインピーダンス素子部３７、第３のコモンインピーダンス素子部４０の長さをさらに長くでき、これにより、第１のコモンインピーダンス素子部３６、第２のコモンインピーダンス素子部３７、第３のコモンインピーダンス素子部４０との重複領域がさらに増加されることができるため、第１のコモンインピーダンス素子部３６、第２のコモンインピーダンス素子部３７、第３のコモンインピーダンス素子部４０とに同方向の電流が流れれば、第１のコモンインピーダンス素子部３６、第２のコモンインピーダンス素子部３７、第３のコモンインピーダンス素子部４０でそれぞれ発生する磁束を互いにさらに強め合うことができ、これらの結合係数を高め、これにより、コモンモードのインピーダンス値をさらに高くできる。
【００３０】
さらに、コモンモードのインピーダンス値に影響を与えるのは第１、第２、第３のコモンインピーダンス素子部３６、３７、４０であるので、第１、第２、第３の内電電極素子部３４、３５、４１が磁性体４４の上方から平面視にて位置ずれしても構わない。
【００３１】
（実施の形態２）
以下、本発明の実施の形態２におけるノイズフィルターについて、図面を参照しながら説明する。
【００３２】
図３は本発明の実施の形態２におけるノイズフィルターの分解斜視図、図４は同斜視図である。
【００３３】
図３、図４において、５１は第１のインピーダンス素子で、渦巻き状の第１のコモンインピーダンス素子部５８及び第１のコモンインピーダンス素子部５８の上方に形成された内電電極の第１の内電電極素子部５５からなる。第１のコモンインピーダンス素子部５８は第４の引き出し部５８ａと渦巻きの内部に位置する第４のバイア電極５８ｂとを、第１の内電電極素子部５５は第１の引き出し部５５ａと内側に位置する第１のバイア電極５５ｂとをそれぞれ有している。
【００３４】
５２は第２のインピーダンス素子で、渦巻き状の第２のコモンインピーダンス素子部５９及び第２のコモンインピーダンス素子部５９の上方に形成された内電電極の第２の内電電極素子部５６からなる。第２のコモンインピーダンス素子部５９は第５の引き出し部５９ａと渦巻きの内部に位置する第５のバイア電極５９ｂとを、第２の内電電極素子部５６は第２の引き出し部５６ａと内側に位置する第２のバイア電極５６ｂとをそれぞれ有している。
【００３５】
５３は第３のインピーダンス素子で、渦巻き状の第３のコモンインピーダンス素子部６０及び第３のコモンインピーダンス素子部６０の上方に形成された内電電極の第３の内電電極素子部５７からなる。第３のコモンインピーダンス素子部６０は第６の引き出し部６０ａと渦巻きの内部に位置する第６のバイア電極６０ｂとを、第３の内電電極素子部５７は第３の引き出し部５７ａと内側に位置する第３のバイア電極５７ｂとをそれぞれ有している。
【００３６】
６１は方形の第１の磁性体シートで、第１の内電電極素子部５５と第１のコモンインピーダンス素子部５８との間、または第２の内電電極素子部５６と第２のコモンインピーダンス素子部５９との間、さらにまたは第３の内電電極素子部５７と第３のコモンインピーダンス素子部６０との間に形成され、第１のバイアホール６１ａと第２のバイアホール６１ｂおよび第３のバイアホール６１ｃを有している。また、第１のバイア電極５５ｂと第４のバイア電極５８ｂとが第１のバイアホール６１ａによって互いに接続され、これにより、第１の内電電極素子部５５と第１のコモンインピーダンス素子部５８とが接続されて、第１のインピーダンス素子５１が形成される。同様に、第２のバイア電極５６ｂと第５のバイア電極５９ｂとが第２のバイアホール６１ｂによって互いに接続され、これにより第２の内電電極素子部５６と第２のコモンインピーダンス素子部５９とが接続されて、第２のインピーダンス素子５２が形成される。同様に、第３のバイア電極５７ｂと第６のバイア電極６０ｂとが第３のバイアホール６１ｃによって互いに接続され、これにより第３の内電電極素子部５７と第３のコモンインピーダンス素子部６０とが接続されて、第３のインピーダンス素子５３が形成される。尚、第１のインピーダンス素子５１、第２のインピーダンス素子５２、第３のインピーダンス素子５３は、それぞれ上部インピーダンス素子とする。
【００３７】
５４は第４のインピーダンス素子で、渦巻き状の第４のコモンインピーダンス素子部６３及び第４のコモンインピーダンス素子部６３の下方に形成された内電電極の第４の内電電極素子部６４からなる。第４のコモンインピーダンス素子部６３は第７の引き出し部６３ａと渦巻きの中心に位置する第７のバイア電極６３ｂとを、第４の内電電極素子部６４は第８の引き出し部６４ａと内側に位置する第８のバイア電極６４ｂとをそれぞれ有している。
【００３８】
６５は方形の第３の磁性体シートで、第４のコモンインピーダンス素子部６３と第４の内電電極素子部６４との間に形成され、第４のバイアホール６５ａを有している。また、第７のバイア電極６３ｂと第８のバイア電極６４ｂとが第４のバイアホール６５ａによって互いに接続され、これにより、第４のコモンインピーダンス素子部６３と第４の内電電極素子部６４とが接続されて、第４のインピーダンス素子５４が形成される。尚、第４のインピーダンス素子５４は下部インピーダンス素子とする。
【００３９】
このとき、第１、第２、第３及び第４の内電電極素子部５５、５６、５７、６４並びに第１、第２、第３及び第４のコモンインピーダンス素子部５８、５９、６０、６３は銀などの導電体からなり、その長さ、幅、厚みは所定の特性に合致するように調整すればよい。これらはそれぞれ一平面内に形成されている。
【００４０】
また、同一平面に形成されている第１のコモンインピーダンス素子部５８と第２のコモンインピーダンス素子部５９および第３のコモンインピーダンス素子部６０の３つの導体と第４のコモンインピーダンス素子部６３とは、互いに対向し、かつその間は絶縁されている。さらに、同じ方向に引き出されている第１、第２、第３、第７の引き出し部５５ａ、５６ａ、５７ａ、６３ａから第４、第５、第６、第８の引き出し部５８ａ、５９ａ、６０ａ、６４ａへ電流を流したとき、第１の内電電極素子部５５または第２の内電電極素子部５６あるいは第３の内電電極素子部５７の上方から平面視にて第１のコモンインピーダンス素子部５８、第２のコモンインピーダンス素子部５９、第３のコモンインピーダンス素子部６０と第４のコモンインピーダンス素子部６３に同じ方向に電流が流れるように形成されている。
【００４１】
６２は方形の第２の磁性体シートで、第１のインピーダンス素子５１または第２のインピーダンス素子５２または第３のインピーダンス素子５３と第４のインピーダンス素子５４との間（第１のコモンインピーダンス素子部５８または第２のコモンインピーダンス素子部５９または第３のコモンインピーダンス素子部６０と第４のコモンインピーダンス素子部６３との間）に形成されている。第２の磁性体シート６２によって第１のコモンインピーダンス素子部５８または第２のコモンインピーダンス素子部５９または第３のコモンインピーダンス素子部６０と第４のコモンインピーダンス素子部６３との間が絶縁される。
【００４２】
６６は方形の第４の磁性体シートで、第１の内電電極素子部５５、第２の内電電極素子部５６及び第３の内電電極素子部５７の上面と、第４の内電電極素子部６４の下面にそれぞれ形成されている。
【００４３】
そして第１、第２、第３、第４の磁性体シート６１、６２、６５、６６は、フェライト粉体の酸化物及び樹脂からなる混合物から構成され、また、上記したように上下方向に積層することによって方形で板状の磁性体６７が形成される。なお、磁性体６７は板状でなく、ある程度の厚みを有してもよい。また、磁性体６７は必ずしも方形である必要はない。さらに、それぞれの厚みは、所定の特性（耐電圧など）によって適宜調整すればよく、厚みの調整は、磁性体シート自体の厚みを変えるか、形成される磁性体シートの枚数を変えることによって行う。
【００４４】
６８ａ、６８ｂ、６８ｃ、６９ａ、６９ｂ、６９ｃ、７０ａ、７０ｂは磁性体６７の両端面に形成された外部電極で、外部電極６８ａと６８ｂと６８ｃは磁性体６７の一端面に、外部電極６９ａと６９ｂと６９ｃはこれらと対向する磁性体６７の他の端面に設けられ、７０ａはこれらと直角方向の磁性体６７の一端面に、７０ｂはこれと対向する磁性体６７の他の端面に設けられている。また、外部電極６８ａ、６８ｂ、６８ｃ、６９ａ、６９ｂ、６９ｃ、７０ａ、７０ｂは、銀などの導体の表面に、ニッケルめっき、すずやはんだなどの低融点金属めっきが施されている。
【００４５】
そして、第１のインピーダンス素子５１の第１の引き出し部５５ａが外部電極６８ａと、第４の引き出し部５８ａが外部電極６９ａと電気的に接続されている。同様に、第２のインピーダンス素子５２の第２の引き出し部５６ａが外部電極６８ｂと、第５の引き出し部５９ａが外部電極６９ｂと電気的に接続されている。同様に、第３のインピーダンス素子５３の第３の引き出し部５７ａが外部電極６８ｃと、第６の引き出し部６０ａが外部電極６９ｃと電気的に接続されている。同様に、第４のインピーダンス素子５４の第７の引き出し部６３ａが外部電極７０ａと、第８の引き出し部６４ａが外部電極７０ｂと電気的に接続されている。
【００４６】
以上のように構成されたノイズフィルターは、第１のコモンインピーダンス素子部５８と第２のコモンインピーダンス素子部５９と第３のコモンインピーダンス素子部６０と第４のコモンインピーダンス素子部６３が渦巻き状に形成されたため、第１のコモンインピーダンス素子部５８または第２のコモンインピーダンス素子部５９または第３のコモンインピーダンス素子部６０と第４のコモンインピーダンス素子部６３との重複領域が増加されることができる。この結果、第１のコモンインピーダンス素子部５８、第２のコモンインピーダンス素子部５９、第３のコモンインピーダンス素子部６０と第４のコモンインピーダンス素子部６３とに同方向の電流が流れれば、第１のコモンインピーダンス素子部５８、第２のコモンインピーダンス素子部５９、第３のコモンインピーダンス素子部６０または第４のコモンインピーダンス素子部６３でそれぞれ発生する磁束を互いに強め合うことができるため、これらの結合係数を高め、コモンモードのインピーダンス値を高くできるという効果が得られる。加えて、第１のコモンインピーダンス素子部５８と第２のコモンインピーダンス素子部５９、第２のコモンインピーダンス素子部５９と第３のコモンインピーダンス素子部６０、第１のコモンインピーダンス素子部５８と第３のコモンインピーダンス素子部６０との重複領域も増加されるので、第１のコモンインピーダンス素子部５８、第２のコモンインピーダンス素子部５９、第３のコモンインピーダンス素子部６０で発生する磁束をさらに強め合うことができるため、よりコモンモードのインピーダンス値を高くできるという効果が得られる。
【００４７】
なお、第１のコモンインピーダンス素子部５８、第２のコモンインピーダンス素子部５９、第３のコモンインピーダンス素子部６０、第４のコモンインピーダンス素子部６３の形状を渦巻き状にすることによって、導体の長さを長くできるため、第１のコモンインピーダンス素子部５８、第２のコモンインピーダンス素子部５９、第３のコモンインピーダンス素子部６０、第４のコモンインピーダンス素子部６３の複数領域がより増加されることができ、これにより、第１のコモンインピーダンス素子部５８と第２のコモンインピーダンス素子部５９と第３のコモンインピーダンス素子部６０と第４のコモンインピーダンス素子部６３とに同方向の電流が流れれば、コモンモードのインピーダンス値をより高くできるという効果が得られる。
【００４８】
また、少なくとも第１のコモンインピーダンス素子部５８、第２のコモンインピーダンス素子部５９、第３のコモンインピーダンス素子部６０、第４のコモンインピーダンス素子部６３のいずれかひとつは電鋳法によって形成されており、狭い導体幅、細かい導体線間ピッチが実現できるため、渦巻き状の第１のコモンインピーダンス素子部５８、第２のコモンインピーダンス素子部５９、第３のコモンインピーダンス素子部６０、第４のコモンインピーダンス素子部６３の長さをさらに長くでき、これにより、第１のコモンインピーダンス素子部５８、第２のコモンインピーダンス素子部５９、第３のコモンインピーダンス素子部６０、第４のコモンインピーダンス素子部６３との重複領域がさらに増加されることができるため、第１のコモンインピーダンス素子部５８、第２のコモンインピーダンス素子部５９、第３のコモンインピーダンス素子部６０、第４のコモンインピーダンス素子部６３とに同方向の電流が流れれば、第１のコモンインピーダンス素子部５８、第２のコモンインピーダンス素子部５９、第３のコモンインピーダンス素子部６０、第４のコモンインピーダンス素子部６３でそれぞれ発生する磁束を互いにさらに強め合うことができ、これにより、コモンモードのインピーダンス値をさらに高くできる。
【００４９】
さらに、コモンモードのインピーダンス値に影響を与えるのは第１、第２、第３、第４のコモンインピーダンス素子部５８、５９、６０、６３であるので、第１、第２、第３、第４の内電電極素子部５５、５６、５７、６４が、磁性体６７の上方から平面視にて位置ずれしたりしても構わない。
【００５０】
また、外部電極６８ａ、６８ｂ、６８ｃ、６９ａ、６９ｂ、６９ｃ、７０ａ、７０ｂは磁性体６７の両端面に形成されているが、６８ａ、６８ｂ、６８ｃ、７０ａが磁性体６７の一端面に、６９ａ、６９ｂ、６９ｃ、７０ｂは磁性体６７の一端面に設けられていても構わない。
【００５１】
さらには、３つの上部インピーダンス素子、３つの上部コモンインピーダンス素子について説明したが、４つまたはそれ以上の上部インピーダンス素子、４つまたはそれ以上の上部コモンインピーダンス素子にも本発明を適用することができる。
【００５２】
【発明の効果】
上述したように本発明は、第１のコモンインピーダンス素子部と第３のコモンインピーダンス素子部との結合係数、及び第２のコモンインピーダンス素子部と第３のコモンインピーダンス素子部との結合係数が高くなり、かつ、第１のコモンインピーダンス素子部と第２のコモンインピーダンス素子部の結合係数が高くなるので、各コモンモードのインピーダンスを高くできるという優れた効果を奏するものである。
【図面の簡単な説明】
【図１】本発明の実施の形態１におけるノイズフィルターの分解斜視図
【図２】同斜視図
【図３】本発明の実施の形態２におけるノイズフィルターの分解斜視図
【図４】同斜視図
【図５】従来の形態におけるノイズフィルターの分解斜視図
【図６】同斜視図
【符号の説明】
３１  第１のインピーダンス素子
３２  第２のインピーダンス素子
３３  第３のインピーダンス素子
３４  第１の内電電極素子部
３５  第２の内電電極素子部
３６  第１のコモンインピーダンス素子部
３７  第２のコモンインピーダンス素子部
４０  第３のコモンインピーダンス素子部
４１  第３の内電電極素子部
４４  磁性体
【図１】
0003965984.tif 000002
【図２】
0003965984.tif 000003
【図３】
0003965984.tif 000004
【図４】
0003965984.tif 000005
【図５】
0003965984.tif 000006
【図６】
0003965984.tif 000007